(57)【要約】【課題】歪や反射による表示品質の低下を生じることなく、スイッチまたは表示モジュールの上面の面積に対する照光エリアの面積を広くすることができる液晶表示装置付きスイッチまたは表示モジュールを提供する。【解決手段】前記液晶表示装置３，２３，４３，５３上面にレンズ１，２１，４１，５１が載置され、このレンズ１，２１，４１，５１の前記液晶表示装置３，２３，４３，５３上面外周部の上方に位置する底面に傾斜部１ａ，２１ａ，４１ａ，５１ａが形成される。【選択図】図３
2013187078.tif 000002
【特許請求の範囲】
【請求項１】
スイッチ機能を有するスイッチ機構部と、スイッチ機能を操作する操作部と、液晶表示装置とからなり、該液晶表示装置によって表示が可能な液晶表示装置付きスイッチにおいて、前記液晶表示装置上面にレンズが載置され、該レンズの前記液晶表示装置上面外周部の上方に位置する底面に傾斜部が形成されることを特徴とする液晶表示装置付きスイッチ。
【請求項２】
請求項１記載の液晶表示装置付きスイッチにおいて、前記傾斜部の傾斜面を平面とし傾斜角度を前記レンズを形成する材料の全反射角よりも小さい角度としたことを特徴とする液晶表示装置付きスイッチ。
【請求項３】
請求項１記載の液晶表示装置付きスイッチにおいて、前記傾斜部の傾斜面を曲面としたことを特徴とする液晶表示装置付きスイッチ。
【請求項４】
液晶表示装置によって表示が可能な液晶表示装置付き表示モジュールにおいて、前記液晶表示装置上面にレンズが載置され、該レンズの前記液晶表示装置上面外周部の上方に位置する底面に傾斜部が形成されることを特徴とする液晶表示装置付き表示モジュール。
【請求項５】
請求項４記載の液晶表示装置付き表示モジュールにおいて、前記傾斜部の傾斜面を平面とし傾斜角度を前記レンズを形成する材料の全反射角よりも小さい角度としたことを特徴とする液晶表示装置付き表示モジュール。
【請求項６】
請求項４記載の液晶表示装置付き表示モジュールにおいて、前記傾斜部の傾斜面を曲面としたことを特徴とする液晶表示装置付き表示モジュール。
【発明の詳細な説明】
【技術分野】
【０００１】
本発明は、液晶表示装置付きスイッチまたは表示モジュールに関するものである。
【背景技術】
【０００２】
従来、液晶表示装置付きスイッチとしては、ボタンの内部に液晶表示装置を内蔵し、このボタンがプランジャを介してスイッチ素子が内蔵されたケースと上下動可能に配設された押ボタンスイッチ（下記非特許文献１参照）があった。また、液晶表示装置付きの表示モジュール（下記非特許文献２参照）があった。この液晶表示装置付き押ボタンスイッチおよび表示モジュールにおいて、液晶表示装置は、上部フィルムと、上部ガラスと、液晶層と、下部ガラスと、下部フィルムとが積層されて構成され、液晶層の外周にシール材が配設されて液晶層が封止され、液晶層に電圧を印加することで多様な表示ができるものであった。シール材は、液晶表示装置の下方から照光する発光素子の光を遮光するため、照光エリアを液晶表示装置と同等とした場合には、照光エリアの外周部にシール材によって遮光される部分が影になって見えることで外観が損なわれてしまう。そこで、シール材の遮光による影を隠すために、照光エリアの外周に額縁を設けていた。ここで、照光エリアとは、液晶表示装置の下方から照光する発光素子（バックライト）の光が照光可能な領域とする。また、後述する表示エリアとは、液晶層によって表現される文字や絵が表示できる領域とし、表示エリアの外周部分（表示はできないが照光が可能な領域）も含めた領域を前述した照光エリアとする。
【０００３】
また、ボタンの額縁部をなくしボタン上面全体に表示をするために、ボタンの上面全体に拡大表示可能なレンズを表示装置の上部に載置した表示機能付きスイッチ（下記特許文献１参照）があった。
【先行技術文献】
【特許文献】
【０００４】
【特許文献１】特開２００３−０７７３５７号
【非特許文献】
【０００５】
【非特許文献１】日本開閉器工業株式会社「２０１１総合カタログ」スタンダードＩＳ液晶表示多機能押ボタンスイッチ
【非特許文献２】日本開閉器工業株式会社「２０１１総合カタログ」スタンダードＩＳ表示モジュール
【発明の概要】
【発明が解決しようとする課題】
【０００６】
しかしながら、上記した液晶表示装置付き押ボタンスイッチおよび表示モジュールは、シール材の遮光による影を隠すための照光エリア外周の額縁を広く設けなければならないため、スイッチおよび表示モジュールの上面の面積に対する照光エリアの面積が狭くなるという問題があり、スイッチなどに搭載する小形の液晶表示装置において照光エリア外周の額縁を狭くすることは外観上重要な課題であった。また、上記特許文献１の表示機能付きスイッチは、拡大表示可能なレンズによってボタン上面全体に表示が可能となるため、スイッチの正面から表示を見たときにはあまり問題ないが、スイッチを斜め方向から見たときには表示の歪や反射が生じるといった問題があり、ボタン全面に表示をするとともに歪や反射を抑制する設計をすることは困難であった。
【０００７】
そこで本発明は、上記状況に鑑みて、歪や反射による表示品質の低下を生じることなくスイッチまたは表示モジュールの上面の面積に対する照光エリアの面積を広くすることができる液晶表示装置付きスイッチまたは表示モジュールを提供することを目的とする。
【課題を解決するための手段】
【０００８】
本発明は、上記目的を達成するために、
〔１〕スイッチ機能を有するスイッチ機構部（１１，３１）と、スイッチ機能を操作する操作部（２，２２）と、液晶表示装置（３，２３）とからなり、この液晶表示装置（３，２３）によって表示が可能な液晶表示装置付きスイッチにおいて、前記液晶表示装置（３，２３）上面にレンズ（１，２１）が載置され、このレンズ（１，２１）の前記液晶表示装置（３，２３）上面外周部の上方に位置する底面に傾斜部（１ａ，２１ａ）が形成されることを特徴とする。
〔２〕上記〔１〕記載の液晶表示装置付きスイッチにおいて、前記傾斜部（１ａ）の傾斜面を平面とし傾斜角度を前記レンズ（１）を形成する材料の全反射角よりも小さい角度としたことを特徴とする。
〔３〕上記〔１〕記載の液晶表示装置付きスイッチにおいて、前記傾斜部（２１ａ）の傾斜面を曲面としたことを特徴とする。
〔４〕液晶表示装置（４３，５３）によって表示が可能な液晶表示装置付き表示モジュールにおいて、前記液晶表示装置（４３，５３）上面にレンズ（４１，５１）が載置され、このレンズ（４１，５１）の前記液晶表示装置（４３，５３）上面外周部の上方に位置する底面に傾斜部（４１ａ，５１ａ）が形成されることを特徴とする。
〔５〕上記〔４〕記載の液晶表示装置付き表示モジュールにおいて、前記傾斜部（４１ａ）の傾斜面を平面とし傾斜角度を前記レンズ（４１）を形成する材料の全反射角よりも小さい角度としたことを特徴とする。
〔６〕上記〔４〕記載の液晶表示装置付き表示モジュールにおいて、前記傾斜部（５１ａ）の傾斜面を曲面としたことを特徴とする。
【発明の効果】
【０００９】
本発明によれば、次のような効果を奏することができる。
（１）歪や反射などによる表示品質の低下を生じることなく、スイッチまたは表示モジュールの上面の面積に対する照光エリアの面積を広くすることができる。
（２）スイッチまたは表示モジュール上面面積に対する照光エリア面積が広くなることで、外観の向上を図ることができる。
（３）照光エリアが広くなることで、視認性が向上する。
（４）従来の液晶表示装置付きスイッチや表示モジュールにも容易に展開することができる。
（５）傾斜部の傾斜面を平面とし傾斜角度をレンズを形成する材料の全反射角よりも小さい角度にすることで、照光エリアに対して斜め方向から表示を見たときの傾斜部による反射を軽減することができる。
（６）傾斜部の傾斜面を曲面にすることで傾斜面を平面とするよりも、照光エリアに対して斜め方向から表示を見たときの傾斜部による反射を軽減することができる。
【図面の簡単な説明】
【００１０】
【図１】本発明の第１実施例を表す液晶表示装置付きスイッチの要部断面図である。
【図２】本発明の第１実施例を表す液晶表示装置付きスイッチのレンズの図である。
【図３】本発明の第１実施例を表す液晶表示装置付きスイッチのレンズにおける原理を示す要部断面図である。
【図４】本発明の第１実施例を表す液晶表示装置付きスイッチの平面図である。
【図５】本発明の第２実施例を表す液晶表示装置付きスイッチの要部断面図である。
【図６】本発明の第２実施例を表す液晶表示装置付きスイッチのレンズの図である。
【図７】本発明の第２実施例を表す液晶表示装置付きスイッチのレンズにおける原理を示す要部断面図である。
【図８】本発明の第３実施例を表す液晶表示装置付き表示モジュールの要部断面図である。
【図９】本発明の第４実施例を表す液晶表示装置付き表示モジュールの要部断面図である。
【図１０】従来の液晶表示装置付きスイッチの要部断面図である。
【発明を実施するための形態】
【００１１】
本発明の液晶表示装置付きスイッチは、スイッチ機能を有するスイッチ機構部と、スイッチ機能を操作する操作部と、液晶表示装置とからなり、この液晶表示装置によって表示が可能な液晶表示装置付きスイッチにおいて、前記液晶表示装置上面にレンズが載置され、このレンズの前記液晶表示装置上面外周部の上方に位置する底面に傾斜部を形成する。また、本発明の液晶表示装置付き表示モジュールは、液晶表示装置によって表示が可能な液晶表示装置付き表示モジュールにおいて、前記液晶表示装置上面にレンズが載置され、このレンズの前記液晶表示装置上面外周部の上方に位置する底面に傾斜部を形成する。
【実施例】
【００１２】
以下、本発明の実施例について、図面を参照しながら詳細に説明する。
【００１３】
図１は本発明の第１実施例を表す液晶表示装置付きスイッチの要部断面図であり、図１（ａ）は正面要部断面図を、図１（ｂ）は側面要部断面図を示している。図２は本発明の第１実施例を表す液晶表示装置付きスイッチのレンズの図であり、図２（ａ）は平面図を、図２（ｂ）は底面図を、図２（ｃ）はＡ−Ａ断面図を、図２（ｄ）は図２（ｃ）のＣ部拡大図を、図２（ｅ）はＢ−Ｂ断面図を、図２（ｆ）は図２（ｅ）のＤ部拡大図を示している。図３は本発明の第１実施例を表す液晶表示装置付きスイッチのレンズにおける原理を示す要部断面図であり、図３（ａ）は傾斜部の傾斜角度を最適値としたときを、図３（ｂ）は傾斜部の傾斜角度を最適値よりも小さくしたときを、図３（ｃ）は傾斜部の傾斜角度を最適値よりも大きくしたときを示している。図４は本発明の第１実施例を表す液晶表示装置付きスイッチの平面図であり、図４（ａ）は本発明のスイッチの平面図を、図４（ｂ）は従来例においてボタンの額縁部を狭くして照光エリアを広くしたときの平面図を示している。
【００１４】
これらの図において、１はレンズ、２はボタン（操作部）、３は液晶表示装置、４はディフューザ、５はインターコネクタ、６はホルダ、７はプリント基板、８は発光素子、９はフレキシブルプリント基板、１０はオサエ板、１１はスイッチ素子（図示なし）を内設したケース（スイッチ機構部）である。レンズ１は、略方形板形状で、底面には液晶表示装置３上面外周部（後述する液晶表示装置３を構成する液晶層３ｄの外周を封止するシール材３ａが配設されている部分）の上方に位置する部分に傾斜面を平面とした傾斜部１ａが形成され、上面には照光エリア１ｂが形成されている。ボタン２は、略枠体形状で、上部の縁端部に内側に向かって突出する額縁部２ａが周設され、この額縁部２ａの内側にレンズ１が配設される。液晶表示装置３は、上部フィルム３ｂと、上部ガラス３ｃと、液晶層３ｄと、下部ガラス３ｅと、下部フィルム３ｆとが積層されて構成され、液晶層３ｄの外周にはシール材３ａが配設されて液晶層３ｄが封止されている。液晶層３ｄによって表現される文字や絵が表示できる領域を表示エリア３ｇとする。ディフューザ４は、発光素子８の光を導光して液晶表示装置３を下方から均一に照光させる。プリント基板７には、発光素子８やＩＣ（図示なし）などが実装され、フレキシブルプリント基板９の一方の接続部が実装されている。
【００１５】
レンズ１はインサート成形や嵌合などによりボタン２に配設され、オサエ板１０の上部にプリント基板７、ホルダ６、ディフューザ４が載置され、ホルダ６のディフューザ４が載置された側方にインターコネクタ５が配設され、インターコネクタ５上に液晶表示装置３が配設される。ボタン２の下方に各部品を配設したオサエ板１０が嵌合され、オサエ板１０下方から延出されたフレキシブルプリント基板９の他方の接続部がケース１１のコネクタ（図示なし）に接続され、ケース１１内に上下動可能に配設されたプランジャ（図示なし）を介してオサエ板１０がケース１１に嵌合され、液晶表示装置付きスイッチが完成される。
【００１６】
以上のように構成された本発明の液晶表示装置付きスイッチは、表示エリア３ｇの表示が発光素子８の照光によって照光エリア１ｂに表示される。このとき、照光エリア１ｂには、液晶表示装置３のシール材３ａの遮光による影は見えず、照光エリア１ｂ全体が照光される。よって、従来、ボタンの額縁部を広く設け照光エリアを狭くして隠していたシール材によって遮光されていた部分が照光可能となるため、照光エリア１ｂを広くすることができる。また、照光エリア１ｂを広くすることで、ボタン２上面の面積に対する照光エリア１ｂの面積が広くなり、外観の向上を図ることができるとともに視認性が向上できる。さらに、液晶表示装置３のシール材３ａに対応する底面に傾斜部１ａを設けたレンズ１を配設することで照光エリア１ｂを広くすることができるので、従来の液晶表示装置付きスイッチにも容易に応用することができる。
【００１７】
ここで、シール材によって遮光される部分が影にならない原理について説明する。図１０（ａ）に従来例を示しており、シール材１０３ａの遮光による影を極力隠すために、ボタン１０２の額縁部１０２ａを広く形成し、照光エリア１０１ｂを狭くしている。表示エリアまでは隠れていないため、表示に支障はないがボタン１０２上面の面積に対する照光エリア１０１ｂの面積が小さくなるため、外観が損なわれていた。図１０（ｂ）は従来例において照光エリア１０１ｂを広くするために単純に額縁部１０２ａを狭くした例を示している。照光エリア１０１ｂを広くすることは可能であるが、図４（ｂ）に示すようにシール材１０３ａの遮光による影がはっきりと見えるため外観が損なわれている。そこで、図４（ａ）に示すように、レンズ１底面に傾斜部１ａを設けシール材３ａの遮光による影が見えないようにすることで照光エリア１ｂ全体を照光可能とする。図３はレンズ１の傾斜部１ａにおける原理を示しており、シール材３ａの上方に位置する部分に傾斜部１ａが形成されている。図３（ａ）は傾斜部１ａの傾斜角度が最適値の場合を示しており、照光エリア１ｂに対して正面から見たとき、視野方向は傾斜部１ａで屈折されている。この視野方向の屈折によってシール材３ａよりも内側部分が見えるようにすることで、シール材３ａの遮光による影が見えないようにしている。図３（ｂ）は傾斜部１ａの傾斜角度が最適値よりも小さい場合を示しており、傾斜角度が小さいと視野方向の屈折が小さくなり、シール材３ａの遮光による影が見えてしまう。図３（ｃ）は傾斜部１ａの傾斜角度が最適値よりも大きい場合を示しており、傾斜角度が大きいと正面から見たときには問題ないが、照光エリア１ｂに対して斜め方向から見たときに傾斜部１ａによる全反射が生じ、シール材３ａの遮光による影は見えないが表示エリア３ｇの表示が見えにくくなってしまう。よって、傾斜部１ａの傾斜角度は、レンズ１を形成する材料の全反射角よりも小さい角度であって、照光エリア１ｂに対して正面から見たときにシール材３ａの遮光による影が見えない角度が最適値となる。実際にはシール材３ａによって遮光される部分は存在するが、傾斜部１ａによる視野方向の屈折によってシール材３ａの遮光による影が見えないようにしていることが本発明の原理である。
【００１８】
このように、本実施例に示す液晶表示装置付きスイッチは、歪や反射による表示品質の低下を生じることなくボタン上面の面積に対する照光エリアの面積を広くすることで、外観の向上を図ることができるとともに視認性が向上できるという特徴を有している。
【００１９】
本実施例では、液晶表示装置付きスイッチを押ボタンスイッチとしているが、液晶表示装置を搭載したスイッチであれば、ロッカスイッチやスライドスイッチなど、他の操作形態のスイッチとしてもよく、種々のスイッチで実施することができる。
【００２０】
図５は本発明の第２実施例を表す液晶表示装置付きスイッチの要部断面図であり、図５（ａ）は正面要部断面図を、図５（ｂ）は側面要部断面図を示している。図６は本発明の第２実施例を表す液晶表示装置付きスイッチのレンズの図であり、図６（ａ）は平面図を、図６（ｂ）は底面図を、図６（ｃ）はＡ−Ａ断面図を、図６（ｄ）は図６（ｃ）のＣ部拡大図を、図６（ｅ）はＢ−Ｂ断面図を、図６（ｆ）は図６（ｅ）のＤ部拡大図を示している。図７は本発明の第２実施例を表す液晶表示装置付きスイッチのレンズにおける原理を示す要部断面図であり、図７（ａ）は照光エリアに対して正面から見たときを、図７（ｂ）は照光エリアに対して斜め方向から見たときを示している。
【００２１】
これらの図において、２１はレンズ、２２はボタン（操作部）、２３は液晶表示装置、２４はディフューザ、２５はインターコネクタ、２６はホルダ、２７はプリント基板、２８は発光素子、２９はフレキシブルプリント基板、３０はオサエ板、３１はスイッチ素子（図示なし）を内設したケース（スイッチ機構部）である。レンズ２１は、略方形板形状で、底面には液晶表示装置２３上面外周部（後述する液晶表示装置２３を構成する液晶層２３ｄの外周を封止するシール材２３ａが配設されている部分）の上方に位置する部分に傾斜面を曲面とした傾斜部２１ａが形成され、上面には照光エリア２１ｂが形成されている。ボタン２２は、略枠体形状で、上部の縁端部に内側に向かって突出する額縁部２２ａが周設され、この額縁部２２ａの内側にレンズ２１が配設される。液晶表示装置２３は、上部フィルム２３ｂと、上部ガラス２３ｃと、液晶層２３ｄと、下部ガラス２３ｅと、下部フィルム２３ｆとが積層されて構成され、液晶層２３ｄの外周にはシール材２３ａが配設されて液晶層２３ｄが封止されている。液晶層２３ｄによって表現される文字や絵が表示できる領域を表示エリア２３ｇとする。ディフューザ２４は、発光素子２８の光を導光して液晶表示装置２３を下方から均一に照光させる。プリント基板２７には、発光素子２８やＩＣ（図示なし）などが実装され、フレキシブルプリント基板２９の一方の接続部が実装されている。
【００２２】
レンズ２１はインサート成形や嵌合などによりボタン２２に配設され、オサエ板３０の上部にプリント基板２７、ホルダ２６、ディフューザ２４が載置され、ホルダ２６のディフューザ２４が載置された側方にインターコネクタ２５が配設され、インターコネクタ２５上に液晶表示装置２３が配設される。ボタン２２の下方に各部品を配設したオサエ板３０が嵌合され、オサエ板３０下方から延出されたフレキシブルプリント基板２９の他方の接続部がケース３１のコネクタ（図示なし）に接続され、ケース３１内に上下動可能に配設されたプランジャ（図示なし）を介してオサエ板３０がケース３１に嵌合され、液晶表示装置付きスイッチが完成される。
【００２３】
以上のように構成された本発明の液晶表示装置付きスイッチは、表示エリアの表示が発光素子２８の照光によって照光エリア２１ｂに表示される。このとき、照光エリア２１ｂには、液晶表示装置２３のシール材２３ａの遮光による影は見えず、照光エリア２１ｂ全体が照光される。よって、従来、ボタンの額縁部を広く設け照光エリアを狭くして隠していたシール材によって遮光されていた部分が照光可能となるため、照光エリア２１ｂを広くすることができる。また、照光エリア２１ｂを広くすることで、ボタン２２上面の面積に対する照光エリア２１ｂの面積が広くなり、外観の向上を図ることができるとともに視認性が向上できる。さらに、液晶表示装置２３のシール材２３ａに対応する底面に傾斜部２１ａを設けたレンズ２１を配設することで照光エリア２１ｂを広くすることができるので、従来の液晶表示装置付きスイッチにも容易に応用することができる。ここで、シール材によって遮光される部分が影にならない原理については第１実施例と同様であり、傾斜部２１ａの傾斜面を曲面とすることで傾斜面を平面とするよりも全反射が生じにくくなる。
【００２４】
このように、本実施例に示す液晶表示装置付きスイッチは、歪や反射による表示品質の低下を生じることなくボタン上面の面積に対する照光エリアの面積を広くすることで、外観の向上を図ることができるとともに視認性が向上できるという特徴を有している。
【００２５】
本実施例では、液晶表示装置付きスイッチを押ボタンスイッチとしているが、液晶表示装置を搭載したスイッチであれば、ロッカスイッチやスライドスイッチなど、他の操作形態のスイッチとしてもよく、種々のスイッチで実施することができる。
【００２６】
図８は本発明の第３実施例を表す液晶表示装置付き表示モジュールの要部断面図であり、図８（ａ）は正面要部断面図を、図８（ｂ）は側面要部断面図を示している。
【００２７】
図８において、４１はレンズ、４２はカバー、４３は液晶表示装置、４４はディフューザ、４５はインターコネクタ、４６はホルダ、４７はプリント基板、４８は発光素子、５０はオサエ板である。レンズ４１は、略方形板形状で、底面には液晶表示装置４３上面外周部（後述する液晶表示装置４３を構成する液晶層の外周を封止するシール材が配設されている部分）の上方に位置する部分に傾斜面を平面とした傾斜部４１ａが形成され、上面には照光エリア４１ｂが形成されている。カバー４２は、略枠体形状で、上部の縁端部に内側に向かって突出する額縁部４２ａが周設され、この額縁部４２ａの内側にレンズ４１が配設される。液晶表示装置４３は、上部フィルムと、上部ガラスと、液晶層と、下部ガラスと、下部フィルムとが積層されて構成され、液晶層の外周にはシール材が配設されて液晶層が封止されている。液晶層によって表現される文字や絵が表示できる領域を表示エリアとする。ディフューザ４４は、発光素子４８の光を導光して液晶表示装置４３を下方から均一に照光させる。プリント基板４７には、発光素子４８やＩＣ（図示なし）などが実装され、下方に突出する端子が配設されている。
【００２８】
レンズ４１はインサート成形や嵌合などによりカバー４２に配設され、オサエ板５０の上部にプリント基板４７、ホルダ４６、ディフューザ４４が載置され、ホルダ４６のディフューザ４４が載置された側方にインターコネクタ４５が配設され、インターコネクタ４５上に液晶表示装置４３が配設される。カバー４２の下方に各部品を配設したオサエ板５０が嵌合され、液晶表示装置付き表示モジュールが完成される。
【００２９】
以上のように構成された本発明の液晶表示装置付き表示モジュールは、表示エリアの表示が発光素子４８の照光によって照光エリア４１ｂに表示される。このとき、照光エリア４１ｂには、液晶表示装置４３のシール材の遮光による影は見えず、照光エリア４１ｂ全体が照光される。よって、従来、ボタンの額縁部を広く設け照光エリアを狭くして隠していたシール材によって遮光されていた部分が照光可能となるため、照光エリア４１ｂを広くすることができる。また、照光エリア４１ｂを広くすることで、カバー４２上面の面積に対する照光エリア４１ｂの面積が広くなり、外観の向上を図ることができるとともに視認性が向上できる。さらに、液晶表示装置４３のシール材に対応する底面に傾斜部４１ａを設けたレンズ４１を配設することで照光エリア４１ｂを広くすることができるので、従来の液晶表示装置付き表示モジュールにも容易に応用することができる。ここで、シール材によって遮光される部分が影にならない原理については第１実施例と同様である。
【００３０】
このように、本実施例に示す液晶表示装置付き表示モジュールは、歪や反射による表示品質の低下を生じることなくカバー上面の面積に対する照光エリアの面積を広くすることで、外観の向上を図ることができるとともに視認性が向上できるという特徴を有している。
【００３１】
図９は本発明の第４実施例を表す液晶表示装置付き表示モジュールの要部断面図であり、図９（ａ）は正面要部断面図を、図９（ｂ）は側面要部断面図を示している。
【００３２】
図９において、５１はレンズ、５２はカバー、５３は液晶表示装置、５４はディフューザ、５５はインターコネクタ、５６はホルダ、５７はプリント基板、５８は発光素子、６０はオサエ板である。レンズ５１は、略方形板形状で、底面には液晶表示装置５３上面外周部（後述する液晶表示装置５３を構成する液晶層の外周を封止するシール材が配設されている部分）の上方に位置する部分に傾斜面を曲面とした傾斜部５１ａが形成され、上面には照光エリア５１ｂが形成されている。カバー５２は、略枠体形状で、上部の縁端部に内側に向かって突出する額縁部５２ａが周設され、この額縁部５２ａの内側にレンズ５１が配設される。液晶表示装置５３は、上部フィルムと、上部ガラスと、液晶層と、下部ガラスと、下部フィルムとが積層されて構成され、液晶層の外周にはシール材が配設されて液晶層が封止されている。液晶層によって表現される文字や絵が表示できる領域を表示エリアとする。ディフューザ５４は、発光素子５８の光を導光して液晶表示装置５３を下方から均一に照光させる。プリント基板５７には、発光素子５８やＩＣ（図示なし）などが実装され、下方に突出する端子が配設されている。
【００３３】
レンズ５１はインサート成形や嵌合などによりカバー５２に配設され、オサエ板６０の上部にプリント基板５７、ホルダ５６、ディフューザ５４が載置され、ホルダ５６のディフューザ５４が載置された側方にインターコネクタ５５が配設され、インターコネクタ５５上に液晶表示装置５３が配設される。カバー５２の下方に各部品を配設したオサエ板６０が嵌合され、液晶表示装置付き表示モジュールが完成される。
【００３４】
以上のように構成された本発明の液晶表示装置付き表示モジュールは、表示エリアの表示が発光素子５８の照光によって照光エリア５１ｂに表示される。このとき、照光エリア５１ｂには、液晶表示装置５３のシール材の遮光による影は見えず、照光エリア５１ｂ全体が照光される。よって、従来、ボタンの額縁部を広く設け照光エリアを狭くして隠していたシール材によって遮光されていた部分が照光可能となるため、照光エリア５１ｂを広くすることができる。また、照光エリア５１ｂを広くすることで、カバー５２上面の面積に対する照光エリア５１ｂの面積が広くなり、外観の向上を図ることができるとともに視認性が向上できる。さらに、液晶表示装置５３のシール材に対応する底面に傾斜部５１ａを設けたレンズ５１を配設することで照光エリア５１ｂを広くすることができるので、従来の液晶表示装置付き表示モジュールにも容易に応用することができる。ここで、シール材によって遮光される部分が影にならない原理については第１実施例と同様であり、傾斜部５１ａの傾斜面を曲面とすることで傾斜面を平面とするよりも全反射が生じにくくなる。
【００３５】
このように、本実施例に示す液晶表示装置付き表示モジュールは、歪や反射による表示品質の低下を生じることなくカバー上面の面積に対する照光エリアの面積を広くすることで、外観の向上を図ることができるとともに視認性が向上できるという特徴を有している。
【００３６】
なお、本発明は上記の実施例に限定されるものではなく、本発明の趣旨に基づき種々の変形が可能であり、これらを本発明の範囲から排除するものではない。
【産業上の利用可能性】
【００３７】
本発明の液晶表示装置付きスイッチまたは表示モジュールは、スイッチまたは表示モジュールの上面の面積に対する照光エリアの面積を広くすることができる液晶表示装置付きスイッチまたは表示モジュールとして利用可能である。
【符号の説明】
【００３８】
１，２１，４１，５１，１０１            レンズ
１ａ，２１ａ，４１ａ，５１ａ            傾斜部
１ｂ，２１ｂ，４１ｂ，５１ｂ，１０１ｂ  照光エリア
２，２２，１０２                        ボタン
２ａ，２２ａ，４２ａ，５２ａ，１０２ａ  額縁部
３，２３，４３，５３，１０３            液晶表示装置
３ａ，２３ａ，１０３ａ                  シール材
３ｂ，２３ｂ，１０３ｂ                  上部フィルム
３ｃ，２３ｃ，１０３ｃ                  上部ガラス
３ｄ，２３ｄ，１０３ｄ                  液晶層
３ｅ，２３ｅ，１０３ｅ                  下部ガラス
３ｆ，２３ｆ，１０３ｆ                  下部フィルム
３ｇ，１０３ｇ                          表示エリア
４，２４，４４，５４                    ディフューザ
５，２５，４５，５５                    インターコネクタ
６，２６，４６，５６                    ホルダ
７，２７，４７，５７                    プリント基板
８，２８，４８，５８                    発光素子
９，２９                                フレキシブルプリント基板
１０，３０，５０，６０                  オサエ板
１１，３１                              ケース
４２，５２                              カバー
【図１】
2013187078.tif 000003
【図２】
2013187078.tif 000004
【図３】
2013187078.tif 000005
【図４】
2013187078.tif 000006
【図５】
2013187078.tif 000007
【図６】
2013187078.tif 000008
【図７】
2013187078.tif 000009
【図８】
2013187078.tif 000010
【図９】
2013187078.tif 000011
【図１０】
2013187078.tif 000012